(57)【要約】【課題】インターネット接続時の通信待ち時間の使用者の苦痛を解消し、また、インターネット等のコンピュータ映像とテレビ映像を同時に２画面表示した際のビートの発生を解消するようにした。【解決手段】インターネットテレビジョン受信機は、テレビ信号を受信又は表示する機能を備えるとともに、テレビ信号とインターネットブラウザ信号の２つの信号を２画面同時表示する２画面信号生成装置１９と、インターネット信号処理装置１８がモデム１０を介して通信中であることを検出し、通信状態を指示するとともに、１画面モードと２画面モードを切り替える機能を制御するＴＶマイコン１６とを備える。【選択図】図１
2006134320.tif 000002
【特許請求の範囲】
【請求項１】
インターネット接続装置を備えたインターネット接続端末において、
時間をカウントするタイマーと、
インターネット上の接続先を設定する接続先設定手段と、
接続時間及び接続時間帯を設定する時間設定手段と、
ダウンロードした文字や画像等のデータを記憶する記憶手段と、
設定時間になると通信を開始させる制御手段とを備え、
前記制御手段は、使用者が設定した時間帯に設定された接続先に接続し、相手先よりデータを受信及び相手先へ送信した後、通信回線を切断し、また、受信したデータは前記記憶手段に記憶するように制御する
ことを特徴とするインターネット接続端末。
【請求項２】
所定の接続設定時間までは、低消費電力モードの待機状態とし、該設定時間になると通常の電力モードとするように制御する制御手段を備え、
前記接続設定時間となるまでの待機時はメモリアクセス等を休止し低消費電力モードとすることを特徴とする請求項１に記載のインターネット接続端末。
【請求項３】
接続先との通信所要時間を記憶する手段を備えたことを特徴とする請求項１に記載のインターネット接続端末。
【発明の詳細な説明】
【技術分野】
【０００１】
この発明は、インターネット受信を可能にするインターネットテレビジョン受信機に関する。
【０００２】
また、この発明は、インターネットでの送受信を可能とするインターネット接続端末に関し、例えば、文字放送の受信を可能とするインターネット接続端末、インターネットテレビ受信機及びその文字放送送受信システムの改良に関する。
【背景技術】
【０００３】
図２２は従来のインターネット接続をするためのコンピュータのシステムブロック図である。図において、１はＣＲＴ、２はＣＰＵ、３はハードディスク、４はグラフィックコントローラ、５はビデオメモリ、６はプログラム動作上のワークＲＡＭと及びビデオメモリとして使用するワークメモリ、７は文字フォントを格納する文字フォントメモリ、８はモデムとデータ転送を行うシリアルコントローラ、９はキーボード等の入力装置、１０はモデム装置、１１は映像信号増幅装置、１３は偏向高圧発生装置である。
【０００４】
この例の場合のコンピュータは、ＯＳはＷＩＮＤＯＷＳ等の汎用ＯＳを備え、アプリケーションソフトウェアとしてΡＰＰ（Point-to-Point  Protocol）等の通信プログラムソフト、更にはインターネット上の画像等を画面に展開するブラウザソフトがインストールされている。また、ハードウェアとして電話回線よりデータ通信を行うためのモデム装置１０を備えている。
【０００５】
次に動作について説明する。使用者はΟＳを起動したあと、アプリケーションソフトであるブラウザを起動すると、まず通信プログラムを同時に起動し、プロバイダ会社とのパスワード確認等を行いプロトコルの確立を行う。その後、ブラウザソフトが展開され、使用者が通信したいホームページ等のアドレスを入力することで通信が開始され、モデム１０を介してデータ通信が行われる。ホームページに記述されたＨＴＭＬ（Hyper  Text  Markup  Language）、ＴＥＸＴのデータをブラウザソフトは解釈してブラウザ上に表示する。通信中は、通信中の表示を出し相手先と接続するまでやデータ転送中の時、コンピュータは待ち状態となる。
【発明の開示】
【発明が解決しようとする課題】
【０００６】
しかしながら、このような従来のインターネット接続端末装置は以上のように構成されているので、接続相手のホストコンピュータへの接続待ち時間やデータ通信中は使用者は画面を見てずっと待っていなければならず、使用者に非常に苦痛を与えるという問題点があった。また、全く画面に変化が無い待ち状態の時は、使用しているインターネット端末や電話回線等に故障があるのではないか等、要らぬ不安を招くなどの問題点があった。
【０００７】
また、ＣＲＴ等の表示装置に２つの画面を同時に表示することができるテレビジョン受信機にインターネット等のコンピュータ映像とテレビ映像を同時表示する場合、２つの信号の垂直周波数の違いより、ＣＲＴの偏向回路を動作させている信号でない方の画面に２つの垂直周波数の差の成分のビートが現れ、視感上好ましくなかった。
【０００８】
さらに、従来のインターネット接続端末装置は以上のように構成されているので、接続相手のホストコンピュータへの接続が混みあっている時やプロバイダの電話回線が混み合っている時間帯は接続するまでに時間がかかる。また、接続できてもデータの転送に時間がかかり使用者はその間ずっと待たなければならず、使用者に非常に苦痛を与えるばかりか、通信速度が遅いために発生する通信コストが増加するという問題点があった。
【０００９】
上記問題点に加えて、従来のインターネット接続端末装置は、接続相手ＵＲＬ（Uniform  Resource  Locator：インターネット上にある情報の位置を一意に表現するための記述形式をいう）を知るためには、使用者は雑誌等で調べたりキーワードで検索するしか調べる手段が無かった。また、ホームページを通じ広告や通販ビジネスを行う情報提供者側は、広く一般に自らのＵＲＬを知らせる手段が無かった等の問題点があった。
【００１０】
この発明は上記のような問題点を解消するためになされたもので、インターネット接続時の通信待ち時間における使用者の苦痛の解消、通信時間の節約、及び不要な待ち時間や回線混雑による通信費用及び使用電力の増加を解消することのできるインターネット端末装置を得ることを目的とする。
【００１１】
また、インターネット等のコンピュータ映像とテレビ映像を同時に２画面表示した際のビートの発生を解消することのできる装置を得ることを目的としている。
【００１２】
さらに、この発明は、文字放送を通じてＵＲＬを流し、受信装置はそのＵＲＬを自動的に記憶するインターネットテレビ受信機、及びインターネツト受信機装置とその送信側を含めたシステム及びサービスを得ることを目的としている。
【課題を解決するための手段】
【００１３】
請求項１に記載のインターネット接続端末は、インターネット接続装置を備えたインターネット接続端末において、時間をカウントするタイマーと、インターネット上の接続先を設定する接続先設定手段と、接続時間及び接続時間帯を設定する時間設定手段と、ダウンロードした文字や画像等のデータを記憶する記憶手段と、設定時間になると通信を開始させる制御手段とを備え、制御手段は、使用者が設定した時間帯に設定された接続先に接続し、相手先よりデータを受信及び相手先へ送信した後、通信回線を切断し、また、受信したデータは記憶手段に記憶するように制御することを特徴とするものである。
【００１４】
請求項２に記載のインターネット接続端末は、所定の接続設定時間までは、低消費電力モードの待機状態とし、該設定時間になると通常の電力モードとするように制御する制御手段を備え、接続設定時間となるまでの待機時はメモリアクセス等を休止し低消費電力モードとすることを特徴とするものである。
【００１５】
請求項３に記載のインターネット接続端末は、接続先との通信所要時間を記憶する手段を備えたことを特徴とするものである。
【発明の効果】
【００１６】
請求項１に記載のインターネット接続端末では、時間をカウントするタイマーと、インターネット上の接続先を設定する接続先設定手段と、接続時間及び接続時間帯を設定する時間設定手段と、ダウンロードした文字や画像等のデータを記憶する記憶手段と、設定時間になると通信を開始させる制御手段とを備え、制御手段は、使用者が設定した時間帯に設定された接続先に接続し、相手先よりデータを受信及び相手先へ送信した後、通信回線を切断し、また、受信したデータは記憶手段に記憶するように制御したので、電話回線やプロバイダの接続ポイントの混雑の一番少ない時間帯に通信を行うことができ、使用者はその時間に直接接続端末を操作する必要がなく待ち時間がなくなり、また、通信時間が短くてすむため、通信費用の削減を行うことができる。
【００１７】
請求項２に記載のインターネット接続端末では、所定の接続設定時間までは、低消費電力モードの待機状態とし、該設定時間になると通常の電力モードとするように制御する制御手段を備え、接続設定時間となるまでの待機時はメモリアクセス等を休止し低消費電力モードとするように構成したので、消費電力のより一層の軽減を行うことができる。
【００１８】
請求項３に記載のインターネット接続端末は、接続先との通信所要時間を記憶する手段を備えて構成したので、通信結果に関する情報を把握することによりユーザが自分で状況を判断することが可能になり通信費用のより一層の軽減を行うことができる。
【発明を実施するための最良の形態】
【００１９】
以下、添付した図面を参照して、この発明を具体的に説明する。
【００２０】
実施の形態１．
図１はこの発明の実施の形態１に係るインターネットテレビジョン受信機のシステム構成を示すブロック図である。なお、実施の形態１であるインターネットテレビジョン受信機の説明にあたり前記図２２に示すインターネットシステムと同一構成部分には同一符号を付している。
【００２１】
図において、１４は受信したテレビ信号を選局及び増幅するチューナ、１５は入力されたテレビ信号と外部ビデオ信号とを切り替える映像切替スイッチ、１６はＴＶシステム全般を制御するＴＶマイコン、１７は輝度信号と色信号を分離するＹＣ分離回路、１８はインターネット接続端末部を構成するインターネット信号処理装置（インターネット接続装置）、１９は複合映像信号とインターネット信号処理装置１８で処理されたＴＥＸＴや画像信号とを１画面に合成する２画面信号生成装置、２０は明るさ、シャープネス、黒レベル、色相、色の濃さを調整する映像信号処理装置、２１は電源である。
【００２２】
図２は上記２画面信号生成装置１９のシステムブロック図である。
【００２３】
図において、３１〜３４はアナログ信号をディジタル信号に変換するＡ／Ｄ変換器、３５は色信号を色差信号に復調する色復調回路、３６，３７は２つの色差信号を時間分割し１本の信号にするマルチプレクサ（ＭＰＸ）、３８はＲＧＢの単色信号を輝度信号及び色差信号に変換する変換回路、３９は２画面処理を行うためのメモリコントロール及びタイミング発生を行う２画面処理回路、４０は時間軸変換を行うためのビデオメモリ、４１はマルチプレクスされた色差信号を２つの色差信号にもどすデマルチプレクサ（ＤＭＰＸ）、４２はディジタル信号をアナログ信号に変換するＤ／Ａ変換器である。
【００２４】
図３は上記２画面信号合生成装置１９内部の２画面処理回路３９の詳細な構成を示す回路図である。
【００２５】
図において、４３〜４８はローパスフィルタ（ＬＰＦ）、４９，５０はマルチプレクサ（ＭＰＸ）、５１〜５４はラインメモリ、５５，５６はラインバッファを備えたフレームメモリ、５７〜６２は信号を切り替えるセレクタ、６３はブランキング付加回路、６４はブランキング付加された色差信号を２つの色差信号にもどすデマルチプレクサ（ＤＭＰＸ）である。デマルチプレクサ（ＤＭＰＸ）６４は、図２のデマルチプレクサ（ＤＭＰＸ）４１に相当する。
【００２６】
図４はインターネット接続端末部を構成するインターネット信号処理装置１８のブロック図であり、前記図２２に示すインターネットシステムと同一構成部分には同一符号を付して重複部分の説明を省略する。
【００２７】
図において、６５はプログラムを格納するＲＯＭ、６６は所定タイミングでＲＧＢ信号を作成するグラフィックプロセッサ６６である。また、グラフィックプロセッサ６６は、カウンタ７１、ＦＩＦＯ（First  In  First  Out）メモリ７２、タイミングジェネレータ７３、各種の色情報を備えたパレット７４及びＤ／Ａ変換器７５から構成される。
【００２８】
以下、上述のように構成されたインターネットテレビジョン受信機の動作を説明する。
【００２９】
図１のシステム構成に示すように、アンテナより受信したテレビ信号はチューナ１４により選局及び増幅され、選局及び増幅された信号は映像切替スイッチ１５に入力される。入力されたテレビ信号は映像切替スイッチ１５により外部からのビデオ１，ビデオ２，ビデオ３信号とＴＶマイコン１６の指令により切り替えられて、ＹＣ分離回路１７に出力される。
【００３０】
ＹＣ分離回路１７では、複合映像信号が輝度信号Ｙと色信号Ｃに分離され、２画面信号生成装置１９の入力１に入力される。一方、２画面信号生成装置１９の入力２には、インターネット信号処理装置１８で処理されたＴＥＸＴや画像信号がＶＧＡモードで入力される。
【００３１】
２画面信号生成装置１９では、入力１，入力２に入力された２つの信号を１画面に合成し、映像信号処理装置２０に出力する。２画面信号生成については、図２及び図３により後述する。
【００３２】
映像信号処理装置２０では、２画面信号生成装置１９から入力された２画面信号の明るさ、シャープネス、黒レベル、色相、色の濃さを調整し、映像信号増幅装置１１に出力する。
【００３３】
映像信号増幅装置１１では、調整した映像信号を増幅し、ＣＲＴ１により表示する。
【００３４】
図５及び図６はインターネットテレビジョン受信機の表示例である。図５及び図６に示す表示例は左画面がテレビ映像、右画面がインターネットブラウザ画面による２画面表示をしたものである。
【００３５】
図５は偏向高圧発生装置１３が垂直方向全面に偏向した場合の表示例であり、図６は偏向高圧発生装置１３が垂直方向の３／４のみ偏向した場合の表示例である。
【００３６】
ＴＶマイコン１６は、この２画面信号生成装置１９を含めインターネット信号処理装置１８を除く選曲等ＴＶシステム全般を制御している。インターネット信号処理装置１８との通信は、インターネット部を制御するＣＰＵ２（図４参照）とシリアルにデータを通信することで、ＴＶのリモコン等の入力装置からの信号をＣＰＵ２に伝達し、インターネット信号処理装置１８を制御している。また、インターネット部からは、モデムによる通信中であるとのステータスが返送される。
【００３７】
次に、図２及び図３を参照して２画面信号合生成装置１９の動作を説明する。
【００３８】
図２に示すように、ＹＣ分離回路１７から、入力１より入力された輝度信号Ｙは、ディジタル信号に変換されて２画面処理回路３９に入力され、また色信号は色復調回路３５に入力されて色差信号に復調され、マルチプレクサ（ＭＰＸ）３６で２つの色差信号が時間分割され１本の信号としてディジタル信号に変換されて２画面処理回路３９に入力される。
【００３９】
一方、インターネット信号処理装置１８から、入力２より入力されたＲＧＢ信号は、変換回路３８によりＲＧＢの単色信号が輝度信号及び色差信号に変換され、輝度信号Ｙは、ディジタル信号に変換されて２画面処理回路３９に入力されるとともに、色差信号はマルチプレクサ（ＭＰＸ）３７で２つの色差信号が時間分割され１本の信号としてディジタル信号に変換されて２画面処理回路３９に入力される。
【００４０】
２画面処理回路３９には、メモリ４０が接続されており、メモリ４０への書き込み速度よりも読み出し速度を２倍にすることで時間軸圧縮を行う。これにより、図５に示すように、例えば画面左半分に映像が表示される。この信号を画面左に寄せ空いた期間にインターネット画像をはめ込む。インターネット画像は、ＶＧＡモードすなわち水平周波数３１．５ＫＨｚのノンインターレースであるので、ここで同時に水平周波数１５．７ＫＨｚのインターレース信号ヘ変換する。このとき変換による折り返し歪み（ラインフリッカ）を軽減するために画面垂直方向のフィルタを挿入する。
【００４１】
図７は図３に示す２画面信号生成装置１９の２画面生成タイミングを示すタイミングチャートであり、模式的に表現するため入力２の垂直フィルタ演算は省略して記載している。
【００４２】
実施の形態１に係る２画面処理回路３９は、図３のように構成されており、従来のように単純に２画面に圧縮して表示するものとは以下の点が異なる。すなわち、動作としては異なる水平周波数の入力信号を１つの画面に合成して表示する点、及び走査線４８０本のノンインターレース信号を４８０本のインターレース信号に変更する時、垂直フィルタをかける点である。
【００４３】
図７に示すように、２画面処理回路３９がメモリ４０への書き込み速度より読み出し速度を２倍にする、すなわち、ラインメモリ５１〜５４に書き込んだクロックの２倍の周波数のクロックで読み出すことで１／２に圧縮を行う。そして、図５に示すように、圧縮により画面左に寄せ空いた画面右の期間にインターネット画像をはめ込む。
【００４４】
図８〜図１０は上記した２つの画面を１画面に合成する合成方法を説明するための図であり、図８は２画面信号生成装置１９の輝度Ｙ部分の合成部を示す図、図９はそのタイミングチャート、図１０はその合成例を示す図である。
【００４５】
図８において、２画面信号生成装置１９による２画面信号生成の過程でラインメモリ５１，５２側から出力されたディジタル映像信号と、フレームメモリ５５側から読み出されてきたディジタル映像信号を合成するためのセレクタ６１で切り替える。この切り替えは図９に示すように、表示用水平同期信号により所定期間ずつラインメモリ側ａ、フレームメモリ側ｂを切り替えることによって、表示される左画面側と右画面側とを切り替える。これにより、図１０に示すように、入力１の画面「Ａ」と入力２の画面「Ｂ」とが１画面に合成される。
【００４６】
上述したように、実施の形態１に係る２画面信号生成装置１９は、ＶＧＡモードの水平周波数３１．５ＫＨｚのノンインターレース信号のインターネット画像を、水平周波数１５．７ＫＨｚのインターレース信号ヘ変換する時、画面垂直方向のフィルタを挿入しているので、変換による折り返し歪み（ラインフリッカ）を軽減することができる。
【００４７】
次に、図４のインターネット信号処理装置１８の動作について説明する。
【００４８】
プログラムＲＯＭ６５には、基本ＯＳと通信用プロトコルソフト、例えばＴＣＰ／ＩΡ及びΡＰΡが搭載されており、その上にアプリケーションソフトとしてブラウザ及びメールソフトが搭載されている。
【００４９】
ワークメモリ６はプログラム動作上のワークＲＡＭ及びビデオメモリとして使用される。インターネット上の情報をモデム１０（図１）を介して公衆回線より得て、シリアルコントローラ８よりデータラインでＣＰＵ２に読み出され、ＨＴＭＬ、ＪＡＶＡ等の言語で記述されたプログラムやテキストをＣＰＵ２が解読し、文字フォントメモリ７を使用してビデオメモリを兼ねたワークＲＡＭのブラウザの上に展開する。
【００５０】
ワークＲＡＭに展開された表示情報をＤＭＡ（Direct  Memory  Access）転送の機能を使用して、グラフィックプロセッサ６６上のＦＩＦＯ（First  In  First  Out）メモリ７２に転送する。ＦＩＦＯメモリ７２に転送されたデータは、例えばＶＧＡのタイミングジェネレータ７３にあわせて色の情報があるパレット７４等で適切な着色をされたＲＧＢ信号として出力される。
【００５１】
ＣＰＵ２はＴＶマイコン１６（図１）と通信しており、使用者のリモコン等のコントロール信号をＴＶマイコン１６がＣＰＵ２に送信し、ＣＰＵ２は通信中等のインターネット信号処理装置１８のステータスを転送する。このステータスは、インターネット信号処理装置１８の状態を示すもので、例えば、接続中、接続して通信する、あるいは接続先を探している等のことである。このステータス信号によりＴＶマイコン１６は、インターネットテレビジョン受信機の画面モードを１画面モード又は２画面モードに切り替える、等の制御を行う。ここで、ＴＶマイコン１６は、基本的には従来のＴＶシステム用マイコンと同様な機能であるが、インターネット信号処理装置１８に、ユーザがコントロールしたリモコンコードをデコードし、必要なコントロール信号をＣＰＵ２に送る機能、及びインターネット信号処理装置１８の状態（ステータス）を受け取り通信時に自動的に画面の切換えを行い２画面にするという機能が追加されている。この場合のステータスも、インターネット信号処理装置１８の状態を示すもので、例えば、接続中、接続して通信する、あるいは接続先を探している等の状態を示す。
【００５２】
以上説明したように、実施の形態１に係るインターネットテレビジョン受信機は、テレビ信号を受信又は表示する機能を備えるとともに、テレビ信号とインターネットブラウザ信号の２つの信号を２画面同時表示する２画面信号生成装置１９と、インターネット信号処理装置（インターネット接続装置）１８がモデム１０を介して通信中であることを検出し、通信状態をＴＶマイコン１６に送るとともに、１画面モードと２画面モードを切り換える機能と制御するＴＶマイコン１６とを備え、インターネットブラウザのみを表示する１画面モードでインターネット画面を見ている時に、通信中であることを検出し通信中であれば自動的にＴＶ映像とインターネット映像が同時に表示される２画面表示モードに切り替え、また、通信が終了すると元のインターネット画面の１画面表示に戻るように構成しているので、インターネット接続時の通信待ち時間の使用者の苦痛を解消することができる。
【００５３】
本実施の形態に記載のインターネットテレビジョン受信機では、インターネット接続装置を備えたテレビジョン受信機において、少なくとも１画面にインターネット画面とテレビ映像との複数画面を同時表示させる装置と、インターネット端末が通信中であることを検出する検出手段と、前記通信中は自動的に画面を複数画面のモードに切り替える切替手段とを備えて構成したので、インターネット接続端末がモデム等を介し通信中には、自動的に２画面表示に切り替るようにして、通信中の待ち時間にテレビ映像を見ることができ、通信中の待ち時間に対する使用者の精神的苦痛を和らげる効果が得られる。
【００５４】
実施の形態２．
また、上述した実施の形態１において、実施の形態１の構成に更にＴＶマイコンにタイマー機能を備えることにより、通信を開始してから、例えば１分経過後に２画面モードに切り替わり、通信終了後すぐにインターネット画面に戻るという設定もできる。また、タイマーの設定も使用者が可変させることもできる。
【００５５】
上記２つの実施の形態においては、２画面表示を左右画面が対等の大きさを示したが、一方の画面が親画面の中に小画面として表示される方式も表示方法が異なるのみで同様に実現できる。この場合、２つの画面比率を変えての表示も可能である。
【００５６】
また、単純にインターネット操作をしている時に、通信モードになった時は画面をテレビ画像に切換、データを受け取り終わり通信完了時にインターネット画面に戻す態様をとってもよいことは勿論である。なお、テレビ画面に切り換わった際に通信中であることを示す表示を画面上に示すこともできる。
【００５７】
本実施の形態に記載のインターネットテレビジョン受信機では、タイマーを備え、タイマーによりインターネット端末が通信を開始してから所定時間経過後に複数画面表示のモードに自動的に切り替わるように構成したので、通信を開始してから、所定時間経過後に自動的に２画面モードに切り替わり、通信終了後すぐにインターネット画面に戻ることができる効果が得られる。
【００５８】
実施の形態３．
図１１はこの発明の実施の形態３に係るインターネットテレビジョン受信機のブロック図である。なお、実施の形態３であるインターネットテレビジョン受信機の説明にあたり図４に示すインターネットテレビジョン受信機と同一構成部分には同一符号を付して重複部分の説明を省略する。
【００５９】
基本的な構成は前記図４と同じである。図４におけるグラフィックコントローラ６６が図１１のように構成される。
【００６０】
図１１において、８０は切換スイッチ、８１は自走型の発振器、８２は位相比較器、８３は分周器、８４は周波数可変型の発振器である。また、データバス及びアドレスバスは前記図４と同様にＣＰＵ２と接続され、データのやりとりを行っている。
【００６１】
図１１において、１画面モードにてインターネット画面を表示時は切換スイッチ８０がａ側になり、自走発振器８１のクロックを基準にドットクロック、水平同期信号及び垂直同期信号を発生し、これらの信号にあわせて画像データがパレット７４及びＤ／Ａ変換器７５を経て出力される。
【００６２】
一方、本インターネット端末が通信中となりテレビが２画面モードになったとき、ＴＶマイコン１６はＣＰＵ２にその状態を示すコントロール信号を送り、ＣＰＵ２はグラフィックコントローラ６６が外部同期モードにするように指令を受け、ＣＰＵ２はグラフィックコントローラ６６ヘバスを介して切換スイッチ８０をｂ側へ倒す。
【００６３】
これにより、タイミングジェネレータ７３に入力される信号は周波数可変型の発振器８４に切り替わる。位相比較器８２と発振器８４と分周器８３で外部の垂直同期信号入力とのΡＬＬ（Phase  Locked  Loop）ループ８５（同期信号発生手段）が構成されており、タイミングジェネレータ６６より出力される垂直同期信号、水平同期信号及びドットクロックと外部入力された垂直同期信号の同期がとられることになる。すなわち、２画面表示の左右の信号の垂直周期での同期関係が同じとなる。
【００６４】
以上説明したように、実施の形態３に係るインターネットテレビジョン受信機は、インターネットの表示用のローカルの発振子を分周し表示用ドットクロック及び水平垂直同期信号を発生するΡＬＬループ８５を有し、更に本信号発生装置は外部の同期信号入力に対しドットクロックの周波数を可変し同期するように構成しているので、インターネット画面とテレビ映像を２画面表示モードで表示した場合にインターネットの表示用同期信号発生装置は、２画面のもう一方のテレビ映像の垂直同期信号と同期してインターネット表示用ドットクロック及び水平同期信号を発生させることができ、これにより２画面表示中の２つの信号の垂直同期の周期を一致させてビートの発生をなくすことができる。
【００６５】
ここで、実施の形態３では、外部の同期入力に対し同期した信号を発生させる手段としてＰＬＬ装置を用いているが、これに限定されず、インターネット表示装置に外部の同期入力に対し同期した同期信号を発生する同期信号発生手段であればどのような装置であってもよい。
【００６６】
なお、実施の形態３では、インターネットの画面の信号の同期信号を外部の同期信号に同期させたが、逆にテレビ、ビデオなどの信号の同期信号をインターネットの画面の信号の同期信号に合わせるようにしてもよい。
【００６７】
本実施の形態に記載のインターネットテレビジョン受信機では、少なくとも１画面にインターネット画面とテレビ映像との複数画面を同時表示させる装置と、インターネット表示装置に外部の同期入力に対し同期した表示用ドットクロック及び水平垂直同期信号を発生する同期信号発生手段とを備えて構成したので、２画面同時表示した際にＣＲＴの偏向回路を動作させている信号でない信号にビートが発生することを解消する効果が得られる。
【００６８】
実施の形態４．
図１２はこの発明の実施の形態４に係るインターネットテレビジョン受信機のシステム構成を示すブロック図である。なお、実施の形態４であるインターネットテレビジョン受信機の説明にあたり前記図１に示すインターネットシステムと同一構成部分には同一符号を付して重複部分の説明を省略する。
【００６９】
図において、１４は受信したテレビ信号を選局及び増幅するチューナ、１５は入力されたテレビ信号と外部ビデオ信号を切り替える映像切替スイッチ、１６はＴＶシステム全般を制御するＴＶマイコン、１７は輝度信号と色信号を分離するＹＣ分離回路、９０はインターネット接続端末部を構成するインターネット信号処理装置（インターネット接続装置）、９１はインターネット信号とその他の外部入力信号とを切り換えるスイッチ、２０は明るさ、シャープネス、黒レベル、色相、色の濃さを調整する映像信号処理装置、２１は電源である。
【００７０】
図１３はインターネット接続端末部を構成するインターネット信号処理装置９０のブロック図であり、前記図４に示すインターネット接続端末部と同一構成部分には同一符号を付して重複部分の説明を省略する。
【００７１】
図において、６５はプログラムを格納するＲＯＭ、７は文字フォントを格納する文字フォントＲＯＭ、６６は所定タイミングでＲＧＢ信号を作成するグラフィックプロセッサ、８はモデムとデータ転送を行うシリアルコントローラ、９２は記憶装置、９３はモデムを制御するドライバである。また、グラフィックプロセッサ６６は、コントローラ７１、ＦＩＦＯ（First  In  First  Out）メモリ７２、タイミングジェネレータ７３、各種の色情報を備えたパレット７４及びＤ／Ａ変換器７５から構成される。
【００７２】
プログラムＲＯＭ６５には、基本ＯＳと通信用プロトコルソフト、例えば、ＴＣΡ／ＩＰ（Transmission  Control  Protocol/Internet  Protocol）及びΡＰＰ（Point-to-Point  Protocol）が搭載されており、その上にアプリケーションソフトとしてブラウザ及びメールソフトが搭載されている。
【００７３】
ワークメモリ６は、前記プログラム動作上のワークＲＡＭと及びビデオメモリとして使用される。
【００７４】
以下、上述のように構成されたインターネットテレビジョン受信機の動作を説明する。
【００７５】
図１２のシステム構成に示すように、アンテナより受信したテレビ信号はチューナ１４により選局及び増幅され、選局及び増幅された信号は映像切替スイッチ１５に入力される。入力されたテレビ信号は映像切替スイッチ１５により外部からのビデオ１，ビデオ２，ビデオ３信号とＴＶマイコン１６の指令により切り替えられて、ＹＣ分離回路１７に出力される。
【００７６】
ＹＣ分離回路１７では、複合映像信号が輝度信号Ｙと色信号Ｃに分離され、再度映像切替ＡＶスイッチ１５に入力され、外部からのビデオ１，ビデオ２，ビデオ３信号とＴＶマイコン１６の指令により切り替えられて、スイッチ９１に入力される。
【００７７】
スイッチ９１には、インターネット信号処理装置９で処理されたＴＥΧＴや画像信号が入力される。スイッチ９１はインターネット信号とその他の外部入力信号を切り換える。
【００７８】
そして、スイッチ９１からのＲＧＢ信号及び同期信号は、映像信号処理装置２０に入力され、映像信号処理装置２０では、明るさ、シャープネス、黒レベル、色相、色の濃さを調整し、映像信号増幅装置１１に出力する。
【００７９】
映像信号増幅装置１１では、調整した映像信号を増幅し、ＣＲＴ１により表示する。
【００８０】
ＴＶマイコン１６は、インターネット信号処理装置９０の制御を除く、選局等ΤＶシステム全般をコントロールしている。ＴＶマイコン１６とインターネット信号処理装置９０との通信は、インターネット部を制御するＣＰＵ２（図１３）とシリアルにデータを通信することで、ＴＶのリモコン等の入力装置からの信号をＣＰＵ２に伝達し、インターネット信号処理装置９０を制御している。また、インターネット信号処理装置９０からは、モデムによる通信中等のステータスが返送される。
【００８１】
すなわち、図１３に示すように、インターネット上の情報をモデムを介し公衆回線より得て、シリアルコントローラ８よりデータラインでＣＰＵ２に読み出し、ＨＴＭＬ、ＪＡＶＡ等の言語で記述されたプログラムやテキストをＣＰＵ２が解読し、文字フォントＲＯＭ７を使用してビデオメモリを兼ねたワークメモリ（ワークＲＡＭ）６のブラウザの上に展開する。
【００８２】
ワークＲＡＭ６に展開された表示情報は、ＤＭＡ（Direct  Memory  Access）転送の機能を使用して、グラフィックプロセッサ６６上のＦＩＦＯメモリ７２に転送される。
【００８３】
ＦＩＦＯメモリ７２に転送されたデータは、例えば、ＶＧＡのタイミングジェネレータ７３にあわせてパレット７４等で適切な着色をされたＲＧＢ信号として出力される。ＣＰＵ２はＴＶマイコン１６と通信しており、使用者のリモコン等からのコントロール信号をＴＶマイコン１６がＣＰＵ２に送信し、ＣＰＵ２は通信中等の本インターネット部のステータスを転送する。このステータス信号によりＴＶマイコン１６は、制御を行っている。
【００８４】
実施の形態４に係るインターネット接続端末装置は、時計機能と時間をカウントするタイマー機能を備えるとともにインターネット上の接続先を設定し記憶する機能を有し、使用者が設定した時間帯に設定された接続先に自動的に接続し、相手先よりデータを受信及び相手先へ送信した後自動的に電話回線を切断し、また、受信したデータを記憶するものである。
【００８５】
具体的には、接続予約は、画面に表示された予約設定画面でリモコンを用いて入力する。そして記憶装置９２を例えばフラッシュＲＯＭ等の書き換え可能なデバイスとすることでユーザ情報や接続予約する接続先アドレスや接続時間帯などを記憶しておく。ＣΡＵ２は、クロックの分周装置もしくはタイマー機能を備えることで時間をカウントする。そして使用者が設定した電話回線や相手先の混雑の少ない時間（使用者が自分で判断した時間帯）に、自動的に回線を接続し通信をスタートする。そしてデータをダウンロードしそのデータを記憶装置９２に記憶して自動的に通信を終了し回線を切断する。
【００８６】
ところで、混雑の度合は、電話回線、インターネット回線や接続しようとする相手先のサーバの混み具合によって決まる。
【００８７】
実施の形態４では、ＷＷＷ（World  Wide  Web）について述べたがファイル転送やメール送受信においても同様である。
【００８８】
実施の形態５．
この発明の実施の形態５に係るインターネットテレビジョン受信機のシステム構成は、実施の形態４であるインターネットテレビジョン受信機と同様である。また、実施の形態４と装置の基本動作も同じであるので差の部分のみ説明する。
【００８９】
前記図１３において、接続予約時間となり通信開始したところで、シリアルコントローラ８のデータ転送速度よりデータ通信速度を検出し、使用者があらかじめ設定しておいた通信速度と比較し、あらかじめ決めておいた速度より早い場合はそのまま通信を行いデータを記憶装置９２に記憶する。
【００９０】
また、逆に遅い場合はその通信を終了し、複数箇所の接続先が設定されている場合は、次に設定されている接続先に接続するという制御プログラムをＣＰＵ２が実行する。この制御プログラムはＲＯＭ２７に格納されている。また、その概略処理フローを図１４に示す。
【００９１】
図１４はインターネット接続端末の接続予約処理を示すフローチャートであり、図中ＳＴはフローの各ステップを示す。
【００９２】
プログラムがスタートすると、ステップＳＴ１でプロバイダと接続しプロトコルを確立し、ステップＳＴ２で予約Ｎｏ．ｎを初期化（ｎ＝１）する。
【００９３】
ステップＳＴ３で、予約Ｎｏ．＝ｎの接続先に接続し、ステップＳＴ４で通信をスタートしデータ（自分の欲しい情報やホームページなどの情報）を記憶する。
【００９４】
ステップＳＴ５で、数分通信をしながら通信速度の平均をとりこの平均値をｂとし、ステップＳＴ６で設定された通信速度ａと通信速度の平均値ｂとを比較する。
【００９５】
設定された通信速度ａが実際の通信速度の平均値ｂより小さい（ａ＜ｂ）ときは、通信を継続する条件にあると判断してステップＳＴ７で通信を継続しデータを保存する。すなわち、ａ＜ｂときは、実際の速度ｂがあらかじめ設定された通信速度ａより早いことを示しており、回線などは混雑しておらず通信はそのまま続行される。
【００９６】
ステップＳＴ８では、予約Ｎｏ．＝ｎが予約設定数ｍ以上になったか（ｎ≧ｍか）否かを判別し、予約Ｎｏ．＝ｎが予約設定数ｍ以上になったときはすべての箇所の接続が済んだと判断して本フローの処理を終了し回線を切断する。
【００９７】
一方、上記ステップＳＴ６で設定された通信速度ａが通信速度の平均値ｂ以上（ａ≧ｂ）のときは、通信を継続する条件にないと判断してステップＳＴ９で通信を停止し、ステップＳＴ１０で次に設定されている接続先に接続するために予約Ｎｏ．＝ｎを１インクリメント（ｎ＝ｎ＋１）してステップＳＴ３に戻る。すなわち、ａ≧ｂときは、実際の速度ｂがあらかじめ設定された通信速度ａより遅いことを示しており、この場合は回線などが混雑しており、データの転送に時間がかかり効率が悪いので、通信は停止となる。
【００９８】
また、上記ステップＳＴ８で予約Ｎｏ．＝ｎが予約設定数ｍに達していないときは、設定されている接続先の接続が済んでいないと判断してステップＳＴ１０に進む。
【００９９】
このように、実施の形態５では、データの通信速度を判断することにより、混雑しているときは通信をやめ次のアクセスを開始して、効率良くアクセスをすることができ、情報の取り込みもなるべく短い時間で行うことができ、効率の良いデータ転送が可能となる。
【０１００】
実施の形態６．
この発明の実施の形態６に係るインターネットテレビジョン受信機のシステム構成は、実施の形態４であるインターネットテレビジョン受信機と同様のもので実現できる。
【０１０１】
図１５は、使用者の接続予約設定画面例を示す図であり、インターネット上のホームページのＵＲＬ（Uniform  Resource  Locator）を示すｈｔｔｐ：／／による画面表示例である。図中、矩形で囲んだ部分はユーザが、設定するＵＲＬと、文字、画像及び通信速度の下限設定を指定する設定領域である。
【０１０２】
図１５に示すように、接続予約設定画面は接続先と接続時間とそのダウンロード情報を文字のみとしたり文字と画像の両方を同時にダウンロードすると設定できる設定画面を持ちこれらの情報は記憶装置９２に記憶される。
【０１０３】
実施の形態４と同様に、ＣＰＵ２によりタイマー機能を実現し設定時間に達すると回線を接続し接続設定先と接続し通信を開始する。
【０１０４】
この際にシリアルコントローラ８のデータ転送速度から通信速度を検出し使用者が設定しておいた通信速度より遅い場合は、文字と画像を取り込まれる設定をしておいても文字情報のみのダウンロードに自動的に切り換える。これは、回線が混雑しているので、データの転送に時間のかかる画像情報の転送はやめて比較的時間のかからない文字情報の転送のみを行うということである。
【０１０５】
なお、この場合は後ですいているときに再びアクセスし、画像情報のみの転送を行うようにすることもできる。
【０１０６】
また、逆に早い場合は、設定通り文字と画像情報の両方をダウンロードする。この制御プログラムは、実施の形態５と同様にプログラムＲＯＭ６５に書き込まれており、ＣＰＵ２が実行する。
【０１０７】
また、通信される画像ファイルの大きさと通信速度を比較し、あらかじめ設定しておいた時間内で通信が終わると判断した場合は通信をするという制御を行うことができる。
【０１０８】
実施の形態７．
この発明の実施の形態７に係るインターネットテレビジョン受信機のシステム構成は、実施の形態４であるインターネットテレビジョン受信機と同様のもので実現できる。
【０１０９】
接続予約を行った後は、その設定時間に達するまでは、ＣＲＴの受像回路の動作を停止させると共に、前記図１３に示すＣＰＵ２以外のデバイスで低消費電力モードを持つデバイスは低消費電力モードとし、表示用グラフィックコントローラの動作を停止させＤＭＡ転送も休止することで省電力化を図る制御をＣＰＵ２とＴＶマイコン１６で行う。
【０１１０】
また、ダウンロード中に使用者が画面を見ない場合は、ＣＲＴの受像回路を停止させる動作を行う。また、もちろん供給電源をＣＰＵ２と他のデバイスを別系統としパスラインをスイッチすることで他の回路への供給電源を制御することでも同様のことが行える。
【０１１１】
実施の形態８．
この発明の実施の形態８に係るインターネットテレビジョン受信機のシステム構成は、実施の形態４であるインターネットテレビジョン受信機と同様のもので実現できる。
【０１１２】
図１３において、使用者が設定した接続先と接続に要した時間、通信速度の記録を記憶装置９２に書き込み、使用者が通信記録をみる画面を選択すると、図１６のような通信記録画面が表示される。
【０１１３】
図１６は通信記録画面の表示例を示す図である。図に示すように、ＵＲＬと、そのスタート時間、所要時間、データ量が表示される。
【０１１４】
実施の形態９．
図１７はこの発明の実施の形態９に係るインターネットテレビジョン受信機のシステム構成を示すブロック図である。なお、実施の形態９であるインターネットテレビジョン受信機の説明にあたり前記図１２に示す実施の形態４に係るインターネットシステムと同一構成部分には同一符号を付して重複部分の説明を省略する。
【０１１５】
図において、１４は受信したテレビ信号を選局及び増幅するチューナ、１５は入力されたテレビ信号と外部ビデオ信号を切り替える映像切替スイッチ、１６はＴＶシステム全般を制御するＴＶマイコン、１７は輝度信号と色信号を分離するＹＣ分離回路、１００はインターネット接続端末部を構成するインターネット信号処理装置（インターネット接続装置）、１０１は文字多重デコーダ装置（文字放送デコード部）、２０は明るさ、シャープネス、黒レベル、色相、色の濃さを調整する映像信号処理装置、２１は電源である。
【０１１６】
図１８は文字多重信号デコード部（文字多重デコーダ装置１０１）とインターネット接続端末部（インターネット信号処理装置１００）のシステムブロック図であり、前記図１３に示すインターネット接続端末部と同一構成部分には同一符号を付して重複部分の説明を省略する。
【０１１７】
図において、１０２は映像入力を同期分離するクランプ同期分離回路、１０３は波形等価を行う波形等価回路、１０４は映像信号から文字信号を抜き取り誤り訂正を行う文字信号抜き取り誤り訂正回路、１０５はデータを格納するデータレジスタ、１０６はユーザデータやＵＲＬ等を記憶するフラッシュＲＯＭ、１０７はプログラム動作上のワークＲＡＭと及びビデオメモリとして使用する主記憶、６５はプログラムを格納するＲＯＭ、７は文字フォントを格納する文字フォントＲＯＭ、６６は所定タイミングでＲＧＢ信号を作成するグラフィックプロセッサ、８はモデムとデータ転送を行うシリアルコントローラである。また、グラフィックプロセッサ６６は、カウンタ７１、ＦＩＦＯ（First  In  First  Out）メモリ７２、タイミングジェネレータ７３、各種の色情報を備えたパレット７４及びＤ／Ａ変換器（図示略）から構成される。
【０１１８】
プログラムＲＯＭ６５には、基本ＯＳと通信用プロトコルソフト、例えば、ＴＣΡ／ＩＰ（Transmission  Control  Protocol/Internet  Protocol）及びΡＰＰ（Point-to-Point  Protocol）が搭載されており、その上にアプリケーションソフトとしてブラウザ及びメールソフトが搭載されている。
【０１１９】
フラッシュＲＯＭ１０６は、ユーザデータやＵＲＬ等を記憶するフラッシュＲＯＭであり、書き換え可能で保存機能のある記憶装置であればどのような装置でもよい。
【０１２０】
主記憶装置１０７は、前記プログラム動作上のワークＲＡＭと及びビデオメモリとして使用される。
【０１２１】
以下、上述のように構成されたインターネットテレビジョン受信機の動作を説明する。
【０１２２】
図１７のシステム構成に示すように、アンテナより受信したテレビ信号はチューナ１４により選局及び増幅され、選局及び増幅された信号は映像切替スイッチ１５に入力される。入力されたテレビ信号は映像切替スイッチ１５により外部からのビデオ１，ビデオ２，ビデオ３信号とＴＶマイコン１６の指令により切り替えられて、ＹＣ分離回路１７に出力される。
【０１２３】
ＹＣ分離回路１７では、複合映像信号が輝度信号Ｙと色信号Ｃに分離され、映像信号処理装置２０に入力される。
【０１２４】
また、映像切替スイッチ１５からの映像信号は、文字多重デコ−ド装置１０１にも入力され、文字多重デコ−ド装置１０１で文字信号が抜き取られる。この文字信号をデータとしてインターネット信号処理装置１００が取り込み、文字列として記憶する。
【０１２５】
インターネット信号処理装置１００は、モデムを介し公衆電話回線でインターネット網との接続を行い接続先のサーバよりデータを読みとり画像信号に変換する。取り込んだ文字列は、ＵＲＬとして記憶されている。
【０１２６】
使用者がこの記憶されたＵＲＬを指定すれば、いちいち文字を入力することなく、接続される。
【０１２７】
この画像信号は映像信号処理装置２０に入力され、明るさ、シャープネス、黒レベル、色相、色の濃さを調整し、映像信号増幅装置１１に出力する。
【０１２８】
映像信号増幅装置１１では、調整した映像信号を増幅し、ＣＲＴ１により表示する。
【０１２９】
ＴＶマイコン１６は、インターネット信号処理装置１００の制御を除く、選局等ＴＶシステム全般をコントロールしている。インターネット信号処理装置１００との通信は、インターネット部を制御するＣＰＵ２（図１８）とシリアルにデータを通信することで、ＴＶのリモコン等の入力装置からの信号をＣＰＵ２に伝達し、インターネット信号処理装置１００を制御している。また、インターネット信号処理装置１００からは、モデムによる通信中である等のステータスが返送される。
【０１３０】
すなわち、図１８に示すように、インターネット上の情報をモデムを介し公衆回線より得て、シリアルコントローラ８よりデータラインでＣＰＵ２に読み出し、ＨＴＭＬ、ＪＡＶＡ等の言語で記述されたプログラムやテキストをＣＰＵ２が解読し、文字フォントＲＯＭ７を使用してビデオメモリを兼ねた主記憶（ワークＲＡＭ）１０７のブラウザの上に展開する。
【０１３１】
主記憶装置１０７に展開された表示情報は、ＤＭＡ（Direct  Memory  Access）転送の機能を使用して、グラフィックプロセッサ６６上のＦＩＦＯメモリ７２に転送される。ＦＩＦＯメモリ７２に転送されたデータは、例えば、ＶＧＡのタイミングジェネレータ７３にあわせてパレット７４等で適切な着色をされたＲＧＢ信号として出力される。
【０１３２】
文字放送デコード部は、クランプ同期分離回路１０２により映像信号からまず同期分離を行い、クランプしたあと波形等価回路１０３に入力され、波形等価回路１０３でトランスバーサルフィルタと直流オフセット回路で波形等価される。
【０１３３】
波形等価された映像信号は、文字信号抜き取り誤り訂正回路１０４で文字信号を抜き取り誤り訂正がかけられ、誤り訂正後のデータは、一時的にデータレジスタ１０５に格納される。
【０１３４】
ＣＰＵ２はそのデータレジスタ１０５に格納されたデータをデータバスを介して読み取り、文字フォントＲＯＭ７を用いて文字データとし、また、ビットマップデータは、直接主記憶装置１０７のビデオメモリ領域に書き込んで画像データを展開する。以降の映像信号への変換は、前述した各実施の形態のインターネット処理部と同じである。
【０１３５】
図１９はあらかじめ決めておいた文字列がｈｔｔｐ：／／である場合の文字放送受信表示例を示す図である。
【０１３６】
図１９において、例えば、文字放送でＷＷＷサーバのアドレスが、文字放送の番組として送られてきたときの画面表示例を示す。
【０１３７】
図２０は上記図１９の表示を行う処理を示すフローチャートである。
【０１３８】
まず、ステップＳＴ１１で、文字放送で送られてきた文字列の中にｈｔｔｐ：／／があるか否かを検索し、文字放送で送られてきた文字列の中にｈｔｔｐ：／／があればステップＳＴ１２でそれに続く文字列をＵＲＬとしてフラッシュＲＯＭ１０６に書き込んで本フローを終え、描画処理に移行する。これは、放送局から送信された文字放送信の中にＵＲＬの情報があるかないかを検出した後に、文字放送の絵（字の情報）が画面されるということである。
【０１３９】
また、文字放送で送られてきた文字列の中にｈｔｔｐ：／／がないときは、そのまま本フローを終え、描画処理に移行する。
【０１４０】
上記処理は、文字信号抜き取り誤り訂正回路１０４で誤り訂正をし終えた後の文字コードやビットデータをデータレジスタ１０５から読みとった後に行われている。これは、受信した文字放送の信号がゴーストや弱電界などによる影響を受けないように、受信した信号について誤り訂正を行い信頼性を上げるため行うものである。
【０１４１】
上記処理後、文字フォントやビットマップデータをビデオＲＡＭへ展開する描画処理を行っている。
【０１４２】
本実施の形態に記載のインターネット接続端末では、少なくとも文字多重放送の受信してデコードするデコード手段と、文字列を記憶する記憶手段とを備え、デコード手段によりあらかじめ決めておいた文字列を受信すると、該文字列以降の文字列を記憶するように構成したので、文字放送を受信するとともに受信した文字列を監視しあらかじめ決められた文字列と一致したときその文字列以降をメモリに記憶することにより使用者はＵＲＬを効率よく知ることができる。
【０１４３】
実施の形態１０．
この発明の実施の形態１０に係るインターネットテレビジョン受信機のシステム構成は、実施の形態４であるインターネットテレビジョン受信機と同様である。また、実施の形態９と装置の基本動作も同じであるので差の部分のみ説明する。
【０１４４】
図２１は送受信を含めたシステム例を示す図であり、前記実施の形態９の機能を持つ文字多重放送デコーダ内蔵インターネット接続装置を家庭に持ち、放送局側がインターネットのＵＲＬを文字データとしてテレビ信号に文字多重し電波として送っているシステム例を示す。
【０１４５】
図のように放送局は、インターネットのＵＲＬが含まれた文字データをテレビ信号に文字多重し放送することで、ＵＲＬのデータについても一つの広告として料金を得ることができ、使用者はＵＲＬを造作なく検索でき、インターネット網を通じて情報提供者より、情報を得たり、また、通信販売等で物品の購入などをすることができる。
【０１４６】
本実施の形態に記載のインターネット接続端末は、文字放送送信側に、あらかじめ決めておいた文字列以降にインターネットのＵＲＬを送信する手段を備えて構成したので、インターネット情報提供者は広く一般に自らのＵＲＬを知らせることが可能となり広告効果を上げることができる効果を得ることができる。
【０１４７】
実施の形態１１．
また、この発明の実施の形態１１として、上記実施の形態１０のシステムにおいて、ＵＲＬと同時にそのＷＷＷサーバの特徴やキーワード、ジャンル等も送出するシステムである。
【０１４８】
受信機は、決められた文字列以降の文字データをＵＲＬとキーワード及びコメントとして記録して、インターネット接続画面でこのリストを見ることができる。例えば、本実施の形態１１においては、ｈｔｔｐ：／／が決められた文字列として登録されており、ｈｔｔｐ：／／ＷＷＷ．ｍｅｌｃｏ．ｃｏ．ｊｐ／ここまでをＵＲＬとして記憶し、／の後のスペースが入った以降をコメントとしている。例えば、前記の場合のコメントは「総合電機企業」と記憶する。
【０１４９】
本例は、決められた文字列をｈｔｔｐ：／／やスペースとしたがもちろん送信及び受信サイドでお互いに決めれば何でもかまわない。
【０１５０】
この場合、受信側の機器にキーワード検索の機能やジャンル別に表記する機能を備えるとなお、使用者の便利性を向上させることができる。
【０１５１】
また、上記各実施の形態に係るインターネットテレビジョン受信機を、上述したようにインターネット接続装置を備えたテレビジョン受信機に適用しているが、インターネットアクセス機能を有する装置であればどのような装置でもよく、またアナログ、ディジタル両方式に使用される装置に適用できることは言うまでもない。
【０１５２】
また、上記インターネットテレビジョン受信機を構成する例えばインターネット信号処理装置１８の回路の種類、接続状態などは前述した上述の実施の形態に限られないことは言うまでもない。
【０１５３】
本実施の形態に記載のインターネット接続端末は、文字列以降にインターネットのＵＲＬとそのコメントを同時に送信するように構成したので、インターネット情報提供者は広く一般に自らのＵＲＬを知らせることが可能となり広告効果が上がるとともに、送信者（放送局）は更に広告収入を期待できる効果を得ることができる。
【図面の簡単な説明】
【０１５４】
【図１】この発明の実施の形態１であるインターネットテレビジョン受信機の構成を示すブロック図である。
【図２】この発明の実施の形態１であるインターネットテレビジョン受信機の２画面信号合生成装置のシステムブロック図である。
【図３】この発明の実施の形態１であるインターネットテレビジョン受信機の２画面処理回路の詳細な構成を示す回路図である。
【図４】この発明の実施の形態１であるインターネットテレビジョン受信機のインターネット信号処理装置のブロック図である。
【図５】この発明の実施の形態１であるインターネットテレビジョン受信機の偏向高圧発生装置が垂直方向全面に偏向した場合の表示例を示す図である。
【図６】この発明の実施の形態１であるインターネットテレビジョン受信機の偏向高圧発生装置が垂直方向の３／４のみ偏向した場合の表示例を示す図である。
【図７】この発明の実施の形態１であるインターネットテレビジョン受信機の２画面信号生成装置の２画面生成タイミングを示すタイミングチャートである。
【図８】この発明の実施の形態１であるインターネットテレビジョン受信機の２画面信号生成装置の輝度Ｙ部分の合成部を示す図である。
【図９】この発明の実施の形態１であるインターネットテレビジョン受信機の２画面信号生成装置の輝度Ｙ部分の合成部のタイミングチャートである。
【図１０】この発明の実施の形態１であるインターネットテレビジョン受信機の２画面信号生成装置の表示例を示す図である。
【図１１】この発明の実施の形態３であるインターネットテレビジョン受信機の構成を示すブロック図である。
【図１２】この発明の実施の形態４であるインターネット接続端末の構成を示すブロック図である。
【図１３】この発明の実施の形態４であるインターネット接続端末のインターネット信号処理装置のブロック図である。
【図１４】この発明の実施の形態５であるインターネット接続端末の接続予約処理を示すフローチャートである。
【図１５】この発明の実施の形態６であるインターネット接続端末の使用者の接続予約設定画面例を示す図である。
【図１６】この発明の実施の形態８であるインターネット接続端末の通信記録画面の表示例を示す図である。
【図１７】この発明の実施の形態９であるインターネット接続端末の構成を示すブロック図である。
【図１８】この発明の実施の形態９であるインターネット接続端末のインターネット信号処理装置のブロック図である。
【図１９】この発明の実施の形態９であるインターネット接続端末のあらかじめ決めておいた文字列がｈｔｔｐ：／／である場合の文字放送受信表示例を示す図である。
【図２０】この発明の実施の形態９であるインターネット接続端末の表示を行う処理を示すフローチャートである。
【図２１】この発明の実施の形態１０であるインターネット接続端末の送受信を含めたシステム例を示す図である。
【図２２】従来の従来のインターネット接続端末装置の構成を示すブロック図である。
【符号の説明】
【０１５５】
２  ＣＰＵ、  １０  モデム、  １４  チューナ、  １６  ＴＶマイコン、  １８，９０，１００  インターネット信号処理装置（インターネット接続装置）、  １９  ２画面信号生成装置、  ２０  映像信号処理装置、  ６６  グラフィックコントローラ、  ８５  ΡＬＬループ（同期信号発生手段）、  ９１  スイッチ、  １０１  文字多重デコーダ。
【図１】
2006134320.tif 000003
【図２】
2006134320.tif 000004
【図３】
2006134320.tif 000005
【図４】
2006134320.tif 000006
【図５】
2006134320.tif 000007
【図６】
2006134320.tif 000008
【図７】
2006134320.tif 000009
【図８】
2006134320.tif 000010
【図９】
2006134320.tif 000011
【図１０】
2006134320.tif 000012
【図１１】
2006134320.tif 000013
【図１２】
2006134320.tif 000014
【図１３】
2006134320.tif 000015
【図１４】
2006134320.tif 000016
【図１５】
2006134320.tif 000017
【図１６】
2006134320.tif 000018
【図１７】
2006134320.tif 000019
【図１８】
2006134320.tif 000020
【図１９】
2006134320.tif 000021
【図２０】
2006134320.tif 000022
【図２１】
2006134320.tif 000023
【図２２】
2006134320.tif 000024